(57)【特許請求の範囲】
【請求項１】
制御中継所に設置され、設備機器の表示情報および計測情報の少なくとも一方の情報を電気所から収集し、あらかじめ設定されている配信先テーブルに従って、収集した情報を配信する情報集配信装置と、
制御所に設置され、前記制御中継所から配信される情報を受信する監視制御装置と、
を備え、
前記制御所の監視制御装置は、前記制御中継所の情報集配信装置から受信する情報があらかじめ設定されている受信テーブルと、前記情報集配信装置から受信した情報とを比較し、前記受信テーブルに設定されている情報と受信した情報とが不一致のときに前記情報の差分を検出し、前記差分を無くすための要求を前記情報集配信装置に送信し、
前記制御中継所の情報集配信装置は、前記監視制御装置からの要求を受信すると、この要求を基に前記差分を無くすように前記配信先テーブルを修正する、
ことを特徴とする監視制御システム。
【請求項２】
前記制御所の監視制御装置は、前記受信テーブルに設定されている情報に対して受信した情報が不足したとき、未受信の情報を配信するための配信の追加要求を前記情報集配信装置に送信し、
前記制御中継所の情報集配信装置は、前記配信の追加要求を受信すると、この配信の追加要求を基に、前記未受信の情報を配信するように前記配信先テーブルを修正する、
ことを特徴とする請求項１に記載の監視制御システム。
【発明の詳細な説明】
【技術分野】
【０００１】
この発明は、電力系統で使用されている各種の機器の監視制御を行う監視制御システムに関する。
【背景技術】
【０００２】
電力会社は、電力系統により需要家に対して電力を供給している。電力系統は、例えば送電線、変圧器、遮断器などの設備機器で構成されている。電力会社の各制御所は、自所が管理する各電気所に設置されている各設備機器の表示情報、例えば遮断器に開閉状態を監視して制御している。また、各制御所は、自所が管理する各電気所での電圧、電流、電力の計測値を、監視制御システム（例えば、特許文献１参照。）で監視している。
【０００３】
図１２に示す監視制御システムでは、Ａ制御所１０１〜Ｃ制御所１０３と、Ａ制御中継所１１１およびＢ制御中継所１１２が運転制御ネットワークＮＷに接続されている。Ａ制御中継所１１１は電気所としてａ変電所１２１〜ｆ変電所１２３を管理し、Ｂ制御中継所１１２は電気所としてｍ変電所１２４〜ｒ変電所１２６を管理している。Ａ制御所１０１〜Ｃ制御所１０３には、図示を省略しているが、監視制御装置（ＭＰ）がそれぞれ設置され、同じく図示を省略しているが、Ａ制御中継所１１１およびＢ制御中継所１１２には、情報集配信装置（ＤＸ）がそれぞれ設置されている。ａ変電所１２１〜ｆ変電所１２３、ｍ変電所１２４〜ｒ変電所１２６には、同じく図示を省略しているが、遠隔監視制御装置（ＴＣ）が設置されている。
【０００４】
そして、Ａ制御所１０１〜Ｃ制御所１０３は、電力系統に設置されている送電線、変圧器、遮断器などの設備機器を監視して制御している。例えば、Ａ制御所１０１は、ａ変電所１２１〜ｆ変電所１２３にそれぞれ設置されている設備機器の監視制御を行い、Ｃ制御所１０３は、ｍ変電所１２４〜ｒ変電所１２６にそれぞれ設置されている設備機器の監視制御を行っている。また、Ａ制御所１０１やＣ制御所１０３に隣接するＢ制御所１０２は、Ａ制御所１０１やＣ制御所１０３が管理する設備機器の情報を必要としている。
【０００５】
こうした監視制御システムでは、例えばａ変電所１２１に設置されている設備機器からの表示情報（ＳＶ情報）や計測情報（ＴＭ情報）は、ａ変電所１２１の遠隔監視制御装置で受信される。表示情報は遮断器の開閉状態などを表す情報であり、計測情報は変圧器の電圧や電流などを表す情報である。ａ変電所１２１の遠隔監視制御装置は、受信した表示情報や計測情報をＡ制御中継所１１１の情報集配信装置に送る。ｂ変電所１２２〜ｆ変電所１２３も同様である。Ａ制御中継所１１１の情報集配信装置は、ａ変電所１２１〜ｆ変電所１２３から表示情報や計測情報を受信すると、運転制御ネットワークＮＷを経て、これらの情報をＡ制御所１０１の監視制御装置に送信する。Ａ制御所１０１では、ａ変電所１２１〜ｆ変電所１２３が得た表示情報や計測情報を運転制御ネットワークＮＷから受信すると、監視制御装置にこれらの情報を記録すると共に運転卓にこれらの情報を表示する。
【０００６】
ところで、電気所の表示情報および計測情報（以下、「表示・計測情報」という）は、電気所を遠隔監視制御している制御所に伝送されると共に、この情報を必要とする隣接の制御所や中央給電指令所等にも伝送されている。こうした情報伝送では、電気所に設置されている遠隔監視制御装置の表示・計測情報を、制御中継所に設置している情報集配信装置に取り込み、情報を必要としている複数の制御所等に向けて、情報集配信装置から同時配信することで実施している。この時の配信先の指定は、遠隔監視制御装置の項目（ワード）単位で、制御中継所の情報集配信装置内のテーブルに定義されている。そして、電力設備の更新等に伴い配信先の変更がある場合は、その都度、担当者が制御中継所のテーブルの変更（以下、「テーブルメンテナンス」と呼ぶ）を行い、確認のため配信先と対向試験を実施している。
【先行技術文献】
【特許文献】
【０００７】
【特許文献１】特開２０１１−１６５１８６号公報
【発明の概要】
【発明が解決しようとする課題】
【０００８】
先に述べた従来の監視制御システムには、次の課題がある。電力系統に設置されている設備機器の追加・変更・削除に伴い、電気所の遠隔監視制御装置の情報伝送項目に変更がある場合、その都度、担当者により、制御中継所の情報集配信装置のテーブルをメンテナンスし、配信先と対向試験を実施する必要がある。この対向試験は、制御所と制御中継所に人員を配して、互いに連絡しながら行われる。配信先が複数になる場合には、全ての配信先と対向試験を実施する必要がある。このため、テーブルの運用管理が煩雑になるとともに、テーブルメンテナンスおよび対向試験に高額なコストが必要になる。
【０００９】
また、制御中継所のテーブルメンテナンスを実施した場合、情報集配信装置の配信項目と配信先の監視制御装置の受信項目が一致しないときがある。このようなときには、配信先で情報欠損が発生し、監視制御業務に支障を与える。
【００１０】
さらに、配信先での運用変更等により不要になった情報は、情報集配信装置のテーブルを削除して、配信を停止することになる。しかし、制御中継所での少量のテーブルメンテナンスは業務効率が悪いので、配信の停止はまとめて行われる。この結果、配信を停止するまでの期間は、不要情報がネットワーク内を流れ、運転制御ネットワークの負荷に影響を及ぼし、監視制御システムの性能低下を引き起こすことがある。
【００１１】
この発明の目的は、前記の課題を解決し、人員配置による制御中継所のテーブルメンテナンスや対向試験を不要にし、また、運転制御ネットワークにおける不要情報をカットすることができる監視制御システムを提供することにある。
【課題を解決するための手段】
【００１２】
前記の課題を解決するために、請求項１の発明は、制御中継所に設置され、設備機器の表示情報および計測情報の少なくとも一方の情報を電気所から収集し、あらかじめ設定されている配信先テーブルに従って、収集した情報を配信する情報集配信装置と、制御所に設置され、前記制御中継所から配信される情報を受信する監視制御装置と、を備え、前記制御所の監視制御装置は、前記制御中継所の情報集配信装置から受信する情報があらかじめ設定されている受信テーブルと、前記情報集配信装置から受信した情報とを比較し、前記受信テーブルに設定されている情報と受信した情報とが不一致のときに前記情報の差分を検出し、前記差分を無くすための要求を前記情報集配信装置に送信し、前記制御中継所の情報集配信装置は、前記監視制御装置からの要求を受信すると、この要求を基に前記差分を無くすように前記配信先テーブルを修正する、ことを特徴とする監視制御システムである。
【００１３】
請求項１の発明では、監視制御システムが、制御中継所に設置されている情報集配信装置と、制御所に設置されている監視制御装置とを備えている。情報集配信装置は、設備機器の表示情報および計測情報の少なくとも一方の情報を電気所から収集し、あらかじめ設定されている配信先テーブルに従って、収集した情報を配信する。監視制御装置は、制御中継所から配信される情報を受信する。
【００１４】
この監視制御システムでは、制御所の監視制御装置は、制御中継所の情報集配信装置から受信する情報があらかじめ設定されている受信テーブルと、情報集配信装置から受信した情報とを比較する。そして、受信テーブルに設定されている情報と受信した情報とが不一致のときに、監視制御装置は、情報の差分を検出し、差分を無くすための要求を情報集配信装置に送信する。制御中継所の情報集配信装置は、監視制御装置からの要求を受信すると、この要求を基に差分を無くすように配信先テーブルを修正する。
【００１５】
請求項２の発明は、請求項１に記載の監視制御システムにおいて、前記制御所の監視制御装置は、前記受信テーブルに設定されている情報に対して受信した情報が不足したとき、未受信の情報を配信するための配信の追加要求を前記情報集配信装置に送信し、前記制御中継所の情報集配信装置は、前記配信の追加要求を受信すると、この配信の追加要求を基に、前記未受信の情報を配信するように前記配信先テーブルを修正する、ことを特徴とする。
【発明の効果】
【００１６】
請求項１の発明によれば、制御所の監視制御装置は、受信テーブルに設定されている情報と受信した情報とが不一致のときに、差分を無くすための要求を自動で送信し、情報集配信装置は、この要求を受信すると配信先テーブルを自動で修正するので、テーブルメンテナンスおよび対向試験に要するコストを低減することができる。また、請求項１の発明によれば、情報集配信装置の配信先テーブルのメンテナンスが不要になるため、他所とのやり取りが少なくなり、運用管理を容易にすることを可能にする。さらに、この発明によれば、配信先テーブルを自動で修正するので、情報集配信装置の配信項目と配信先の監視制御装置の受信項目との不一致を防止し、配信先で情報欠損が発生することを防ぐことができ、監視制御システムの性能維持を確保することができる。
【００１７】
請求項２の発明によれば、制御所の監視制御装置は、未受信の情報を配信するための配信の追加要求を自動で送信し、情報集配信装置は、この要求を受信すると配信先テーブルを自動で修正するので、配信の追加をするときのテーブルメンテナンスおよび対向試験に要するコストを低減することができる。
【図面の簡単な説明】
【００１８】
【図１】実施の形態１による監視制御システムを示す構成図である。
【図２】ＤＸ配信定義テーブルを示す図であり、図２（ａ）はＡ制御中継所の情報集配信装置に記憶されているＤＸ配信定義テーブルの一例を示す図であり、図２（ｂ）はＢ制御中継所の情報集配信装置に記憶されているＤＸ配信定義テーブルの一例を示す図である。
【図３】配信追加処理の一例を示すフローチャートである。
【図４】ＭＰ受信定義テーブルを示す図であり、図４（ａ）はＡ制御所に記憶されているＭＰ受信定義テーブルの一例を示す図であり、図４（ｂ）はＢ制御所に記憶されているＭＰ受信定義テーブルの一例を示す図であり、図４（ｃ）はＣ制御所に記憶されているＭＰ受信定義テーブルの一例を示す図である。
【図５】受信処理の一例を示すフローチャートである。
【図６】監視制御システムの作用を説明するための構成図である。
【図７】監視制御システムの作用を説明するためのシーケンス図である。
【図８】変更したＭＰ受信定義テーブルを示す図である。
【図９】修正したＤＸ配信定義テーブルを示す図である。
【図１０】実施の形態２で用いられる配信停止処理を示すフローチャートである。
【図１１】実施の形態２で用いられる受信処理を示すフローチャートである。
【図１２】監視制御システムの一例を示す構成図である。
【発明を実施するための形態】
【００１９】
次に、この発明の各実施の形態について、図面を用いて詳しく説明する。
【００２０】
（実施の形態１）
この実施の形態による監視制御システムを図１に示す。この監視制御システムでは、Ａ制御所１０〜Ｃ制御所３０と、Ａ制御中継所４０およびＢ制御中継所５０が、パケットによる通信を可能とする運転制御ネットワークＮＷに接続されて、データ通信が可能な状態にある。Ａ制御中継所４０は電気所としてａ変電所６１〜ｆ変電所６３を管理し、Ｂ制御中継所５０は電気所としてｍ変電所７１〜ｒ変電所７３を管理している。そして、Ａ制御所１０〜Ｃ制御所３０は、電力系統に設置されている送電線、変圧器、遮断器などの設備機器を監視して制御している。例えば、Ａ制御所１０は、ａ変電所６１〜ｆ変電所６３にそれぞれ設置されている設備機器６１Ｂ〜６３Ｂの表示・計測情報による監視制御を行い、Ｃ制御所３０は、ｍ変電所７１〜ｒ変電所７３にそれぞれ設置されている設備機器７１Ｂ〜７３Ｂの表示・計測情報による監視制御を行っている。また、Ａ制御所１０やＣ制御所３０に隣接するＢ制御所２０は、Ａ制御所１０やＣ制御所３０を含む各変電所にそれぞれ設置されている設備機器の情報を必要としている。
【００２１】
先ず、ａ変電所６１〜ｆ変電所６３と、ｍ変電所７１〜ｒ変電所７３とについて説明する。ａ変電所６１〜ｆ変電所６３とｍ変電所７１〜ｒ変電所７３とは同じような構成であるので、以下では代表例としてａ変電所６１について説明する。ａ変電所６１は、遠隔監視制御装置（ＴＣ）６１Ａを備えている。遠隔監視制御装置６１Ａには設備機器６１Ｂが接続され、遠隔監視制御装置６１Ａは設備機器６１Ｂからの情報、つまり設備機器６１Ｂからの表示・計測情報を受信する。なお、ａ変電所６１には、複数の設備機器が設置されているが、図面の簡略化のために、これらの図示を省略している。
【００２２】
次に、Ａ制御中継所４０とＢ制御中継所５０とについて説明する。Ａ制御中継所４０は、通信装置４１と運転卓４２と情報集配信装置（ＤＸ）４３とを備えている。また、Ｂ制御中継所５０は、通信装置５１と運転卓５２と情報集配信装置（ＤＸ）５３とを備えている。Ａ制御中継所４０とＢ制御中継所５０とは同じような構成であるので、以下では代表例としてＡ制御中継所４０について説明する。
【００２３】
Ａ制御中継所４０の通信装置４１は、運転制御ネットワークＮＷに接続されている。これにより、通信装置４１は、情報集配信装置４３などがＡ制御所１０〜Ｃ制御所３０と情報の送受信をパケットにより行うことを可能にする。
【００２４】
Ａ制御中継所４０の情報集配信装置４３は、ａ変電所６１〜ｆ変電所６３の遠隔監視制御装置６１Ａ〜６３Ａがそれぞれ受信した表示・計測情報を集める。そして、あらかじめ記憶している配信先テーブルを基にして、遠隔監視制御装置６１Ａ〜６３Ａから集めた表示・計測情報のデータを、Ａ制御所１０とＢ制御所２０とに配信する。
【００２５】
このために、情報集配信装置４３は、ＤＸ配信定義を表す配信先テーブル（以下、「ＤＸ配信定義テーブル」という）を、あらかじめ記憶している。ＤＸ配信定義テーブルの一例を図２（ａ）に示す。情報集配信装置４３用のＤＸ配信定義テーブルには、配信番号を表す「１」、「２」等に対応して、情報を受け取る「電気所名」が記録されている。電気所名では、例えば「ａ変電所」や「ｂ変電所」が記録され、さらに、各電気所が送る情報、例えばａ変電所は１番の配信でＳＶ（表示情報：ＳＶ情報）を送り、４番の配信でＴＭ（計測情報：ＴＭ情報）を送ることが記録されている。また、ＤＸ配信定義テーブルには、「ポジション」が記録されている。ポジションは、各配信先に送る情報の単位を表すものであり、例えば１番の配信で表示情報を送る場合に、表示情報を「１Ｗ１Ｂ」つまり１ワード１ビット単位で送り、４番目の配信で計測情報を送る場合に、「３００Ｗ」つまり３００ワードで送ることが記録されている。さらに、ＤＸ配信定義テーブルには、配信先の制御所についてフラグがオンにされている。例えば、「Ａ制」であるＡ制御所１０には、ａ変電所とｂ変電所の表示情報を配信すると共にａ変電所とｂ変電所の計測情報を配信することが記録され、「Ｂ制」であるＢ制御所２０には、ｂ変電所の表示情報と計測情報とを配信することが記録され、「Ｃ制」であるＣ制御所３０には情報を配信しないことが記録されている。
【００２６】
図２（ａ）のＤＸ配信定義テーブルによれば、Ａ制御中継所４０の情報集配信装置４３は、ａ変電所６１〜ｆ変電所６３を直接管理するＡ制御所１０に、ａ変電所６１〜ｆ変電所６３の表示・計測情報を配信する。また、情報集配信装置４３は、ｂ変電所６２の情報を必要とするＢ制御所２０に、ｂ変電所６２の表示・計測情報を配信する。
【００２７】
情報集配信装置４３は、こうしたＤＸ配信定義テーブル（図２（ａ））を記憶していると共に、このＤＸ配信定義テーブルを修正する機能を持つ。つまり、情報集配信装置４３は、Ａ制御所１０〜Ｃ制御所３０の例えばＡ制御所１０から、運転制御ネットワークＮＷを経て、後述の配信の追加要求を受信すると、図３に示す配信追加処理を行う。情報集配信装置４３は、配信追加処理を開始すると、配信の追加要求に付加されている未受信情情報を調べる（ステップＳ１）。ステップＳ１が終了すると、情報集配信装置４３は、未受信情報の電気所名とポジションとから、ＤＸ配信定義テーブルの該当する部分、つまり、該等する配信番号を調べる（ステップＳ２）。ステップＳ２が終了すると、情報集配信装置４３は、未受信情報に含まれる制御所名を調べる（ステップＳ３）。この後、情報集配信装置４３は、ステップＳ２で調べた配信番号の配信で該当する制御所を、ＤＸ配信定義テーブルで選択する（ステップＳ４）。ステップＳ４で、情報集配信装置４３は、ＤＸ配信定義テーブルの配信先で、該当する制御所についてフラグをオンにする。ステップＳ４が終了すると、情報集配信装置４３は配信追加処理を終了する。
【００２８】
こうして、情報集配信装置４３は、受信した配信の追加要求を基にしてＤＸ配信定義テーブルを修正する。
【００２９】
同じように、Ｂ制御中継所５０の情報集配信装置５３は、図２（ｂ）に示すＢ制御中継所５０用のＤＸ配信定義テーブルを記憶している。このＤＸ配信定義テーブルにも、Ａ制御中継所４０用のＤＸ配信定義テーブルと同じような方式で、情報を送る電気所や配信先の制御所が記録されている。なお、Ｂ制御中継所５０用のＤＸ配信定義テーブルはＡ制御中継所４０用のＤＸ配信定義テーブルと電気所名や配信先が異なるだけなので、Ｂ制御中継所５０用のＤＸ配信定義テーブルについては説明を省略する。
【００３０】
図２（ｂ）のＤＸ配信定義テーブルによれば、Ｂ制御中継所５０の情報集配信装置５３は、ｍ変電所７１〜ｒ変電所７３を直接管理するＣ制御所３０に、ｍ変電所７１〜ｒ変電所７３の表示・計測情報を配信する。また、情報集配信装置５３は、ｍ変電所７１の情報を必要とするＢ制御所２０に、ｍ変電所７１の表示・計測情報を配信する。
【００３１】
また、情報集配信装置５３は、配信の追加要求を受信すると、この配信の追加要求を基にして配信追加処理を行い、ＤＸ配信定義テーブルを修正する。この修正で、情報集配信装置５３は、ＤＸ配信定義テーブルの電気所名、ポジションや配信先を修正する。
【００３２】
Ａ制御中継所４０の運転卓４２は、情報集配信装置４３が集めた情報、つまり、設備機器６１Ｂ〜６３Ｂからの表示・計測情報を表示する。なお、必要に応じて、運転卓４２は、例えば手動によりＤＸ配信定義テーブルを修正するために、担当者により操作される。
【００３３】
次に、Ａ制御所１０〜Ｃ制御所３０について説明する。Ａ制御所１０は、通信装置１１と運転卓１２と監視制御装置１３とを備えている。同様に、Ｂ制御所２０は、通信装置２１と運転卓２２と監視制御装置２３とを備え、Ｃ制御所３０は、通信装置３１と運転卓３２と監視制御装置３３とを備えている。Ａ制御所１０〜Ｃ制御所３０は同じような構成であるので、以下では代表例としてＡ制御所１０について説明する。
【００３４】
Ａ制御所１０の通信装置１１は、運転制御ネットワークＮＷに接続されている。これにより、通信装置１１は、監視制御装置１３などがＡ制御中継所４０やＢ制御中継所５０と情報の送受信、例えば表示・計測情報の受信を、パケットにより行うことを可能にする。
【００３５】
Ａ制御所１０の監視制御装置１３は、Ａ制御中継所４０やＢ制御中継所５０から表示・計測情報を受信する。そして、監視制御装置１３は、受信した表示情報を基に変電所での遮断器の開閉状態などを運転卓１２に表示し、受信した計測情報を基に変電所の変圧器の電圧や電流などを運転卓１２に表示する。また、監視制御装置１３は、データの受信つまり表示・計測情報の受信が正常であるかどうかを調べる。
【００３６】
このために、監視制御装置１３は、ＭＰ受信定義を表すＭＰ受信定義テーブルを、あらかじめ記憶している。ＭＰ受信定義テーブルの一例を図４（ａ）に示す。監視制御装置１３用のＭＰ受信定義テーブルには、受信番号を表す「１」、「２」等に対応して、情報を受け取る「制御中継所名」が項目名として記録されている。制御中継所名では、例えば「Ａ制御中継所」が記録されている。また、各制御中継所に対応して、情報を受け取る「電気所名」が記録されている。電気所名では、例えば「ａ変電所」や「ｂ変電所」が記録され、さらに、各電気所の情報、例えば１番の受信番号でａ変電所のＳＶ（表示情報：ＳＶ情報）を受信し、４番の受信番号でａ変電所のＴＭ（計測情報：ＴＭ情報）を受信することが記録されている。さらに、ＭＰ受信定義テーブルには、「ポジション」が記録されている。ポジションは、受信する情報の単位を表し、例えば受信番号の１番では、ａ変電所の「１Ｗ１Ｂ」つまり１ワード１ビット単位で表示情報を受信し、４番目の受信番号では、「３００Ｗ」つまり３００ワードで計測情報を受信することが記録されている。
【００３７】
図４（ａ）のＭＰ受信定義テーブルによれば、Ａ制御所１０の監視制御装置１３は、Ａ制御中継所４０から、ａ変電所６１〜ｆ変電所６３の表示・計測情報を受信する。
【００３８】
監視制御装置１３は、こうしたＭＰ受信定義テーブルを記憶していると共に、このＭＰ受信定義テーブルを基に、表示・計測情報の受信が正常であるかどうかを調べる。このために、監視制御装置１３は図５に示す受信処理を行う。監視制御装置１３は、受信処理を開始すると、受信した表示・計測情報とＭＰ受信定義テーブルとを比較する（ステップＳ２１）。ステップＳ２１で、監視制御装置１３は、表示情報についてはビット単位で、受信した表示・計測情報とＭＰ受信定義テーブルとの差異（以下、「差分」という）を検出し、計測情報についてはワード単位で差分を検出する。比較の結果により、表示・計測情報とＭＰ受信定義テーブルとが不一致であるかどうか、つまり、表示・計測情報側に不足の差分があるかどうかを判定する（ステップＳ２２）。ステップＳ２２で差分があると判定すると、監視制御装置１３は、配信の追加要求を生成する（ステップＳ２３）。
【００３９】
ステップＳ２３が終了すると、監視制御装置１３は、差分を基に未受信情報を生成する（ステップＳ２４）。ステップＳ２４で、監視制御装置１３は、受信した表示・計測情報とは異なるＭＰ受信定義テーブルの部分を調べる。この部分は、未受信の部分であり、監視制御装置１３は、ＭＰ受信定義テーブルから未受信の受信番号を調べる。この後、この未受信の受信番号に対応する電気所名およびポジションと、自身の制御所名とを、未受信情報としてＭＰ受信定義テーブルから抽出する。
【００４０】
ステップＳ２４が終了すると、監視制御装置１３は、配信の追加要求に未受信情報を付加する（ステップＳ２５）。ステップＳ２５が終了すると、監視制御装置１３は、ＭＰ受信定義テーブルを参照し、未受信の受信番号に対応する制御中継所を調べる（ステップＳ２６）。この後、監視制御装置１３は、通信装置１１を制御して、調べた制御中継所に向けて、生成した配信の追加要求を送信する（ステップＳ２７）。ステップＳ２７で、監視制御装置１３は、配信の追加要求を配信追加パケットとして制御中継所に送信する。
【００４１】
ステップＳ２７が終了するか、または、ステップＳ２２で差分が無いと判定すると、監視制御装置１３は、受信処理を終了する。監視制御装置１３は、こうした受信処理を行う。
【００４２】
Ｂ制御所２０の監視制御装置２３は、図４（ｂ）に示すＭＰ受信定義テーブルを記憶している。このＭＰ受信定義テーブルには、Ａ制御所１０用のＭＰ受信定義テーブルと同じ方式で、情報を受け取る「制御中継所名」と「電気所名」と「ポジション」とが記録されている。Ｂ制御所２０用のＭＰ受信定義テーブルによれば、監視制御装置２３は、Ａ制御中継所４０とＢ制御中継所５０とから、ｂ変電所６２とｍ変電所７１の表示情報や計測情報を受信する。また、監視制御装置２３は、このＭＰ受信定義テーブルを基に監視制御装置１３と同様の受信処理を行う。
【００４３】
Ｃ制御所３０の監視制御装置３３は、図４（ｃ）に示すＭＰ受信定義テーブルを記憶している。このＭＰ受信定義テーブルには、Ａ制御所１０用のＭＰ受信定義テーブルと同じ方式で、情報を受け取る「制御中継所名」と「電気所名」と「ポジション」とが記録されている。Ｃ制御所３０のＭＰ受信定義テーブルによれば、監視制御装置３３は、Ｂ制御中継所５０から、ｍ変電所６２〜ｒ変電所７３の表示情報や計測情報を受信する。また、監視制御装置３３は、このＭＰ受信定義テーブルを基に監視制御装置１３と同様の受信処理を行う。
【００４４】
Ａ制御所１０の運転卓１２は、監視制御装置１３が受信した情報、つまり、設備機器からの表示・計測情報を表示する。また、必要に応じて、運転卓１３は、例えば手動によりＭＰ受信定義テーブルを修正するために、担当者により操作される。
【００４５】
次に、この実施の形態による監視制御システムの作用について説明する。ここでは、先に示した図１のシステム構成に対して、図６に示すように、電気所として新たにｇ変電所６４が設置された場合の、Ｂ制御所２０の監視制御装置２３と、Ａ制御中継所４０の情報集配信装置４３との作用を、図７のシーケンス図を用いて説明する。
【００４６】
新たなｇ変電所６４は、遠隔監視制御装置（ＴＣ）６４Ａを備えている。遠隔監視制御装置６４Ａには設備機器６４Ｂが接続され、遠隔監視制御装置６４Ａは設備機器６４Ｂからの表示・計測情報を受信する。Ｂ制御所２０が設備機器６４Ｂの表示・計測情報を必要とする場合、Ｂ制御所２０では、担当者が運転卓２２を操作して、監視制御装置２３が記憶しているＭＰ受信定義テーブルを、例えば図８に示すように変更する（ステップＳ４１）。ここでは、Ｂ制御所２０が１ワード１ビットでｇ変電所６４の表示情報を受信するように、ＭＰ受信定義テーブルが追加されている。
【００４７】
Ｂ制御所２０で監視制御装置２３のＭＰ受信定義テーブルが変更された後、定期的な受信により、Ａ制御中継所４０の情報集配信装置４３が遠隔監視制御装置６１Ａ〜６４Ａを経て、設備機器６１Ｂ〜６４Ｂの表示・計測情報を受信する（ステップＳ４２）。表示・計測情報の受信が終了すると、Ａ制御中継所４０の情報集配信装置４３は、あらかじめ記憶しているＤＸ配信定義テーブルから、表示・計測情報の配信先を調べる（ステップＳ４３）。この後、情報集配信装置４３は、調べた配信先に表示・計測情報を送信する（ステップＳ４４）。これにより、Ｂ制御所２０にも表示・計測情報が送信される。このとき、Ａ制御中継所４０の情報集配信装置４３が記憶しているＤＸ配信定義テーブル（図２（ａ））は、ｇ変電所６４からの表示・計測情報をＢ制御所２０に配信するように設定されていないので、Ｂ制御所２０には、ｇ変電所６４の表示・計測情報は配信されない。この様子を、図７では破線の矢印で示している。
【００４８】
Ｂ制御所２０の監視制御装置２３は、通信装置２１を経て表示・計測情報を受信すると、先に説明した受信処理を行う（ステップＳ４５）。ステップＳ４５で、監視制御装置２３は、先のステップＳ４１で変更したＭＰ受信定義テーブルを用いて、ステップＳ４５の受信処理を行う。Ｂ制御所２０の監視制御装置２３が記憶しているＭＰ受信定義テーブルには、ｇ変電所６４から表示情報をＡ制御中継所４０から受信するように設定されているが（図８）、Ｂ制御所２０には、ｇ変電所６４の表示・計測情報は配信されないので、監視制御装置２３は、受信処理により配信の追加要求を生成する。このとき、Ｂ制御所２０の監視制御装置２３は、ＭＰ受信定義テーブル（図８）から未受信の受信番号を調べ、この未受信の受信番号に対応する電気所名およびポジションと、自身の制御所名を表す情報を、未受信情報としてＭＰ受信定義テーブルから抽出して、配信の追加要求を生成する。Ｂ制御所２０の監視制御装置２３は、ステップＳ４５の受信処理で生成した配信の追加要求を、Ａ制御中継所４０に送信する。
【００４９】
Ａ制御中継所４０の情報集配信装置４３は、通信装置４１を経て、Ｂ制御所２０の監視制御装置２３からの配信の追加要求を受信すると、先に説明した配信追加処理を行う（ステップＳ４６）。ステップＳ４６により、Ａ制御中継所４０の情報集配信装置４３は、図９に示すように、ｇ変電所６４からの１ワード１ビットの表示情報を、Ｂ制御所２０に配信するように、ＤＸ配信定義テーブルを修正する。なお、図９では、ｇ変電所６４からの表示情報がＡ制御所１０に配信されるように、ＤＸ配信定義テーブルが前もって修正されている。
【００５０】
こうした配信追加処理が終了すると、Ａ制御中継所４０の情報集配信装置４３が記憶しているＤＸ配信定義テーブルが修正されているので、次回から設備機器６１Ｂ〜６４Ｂからの定期的な受信では、Ｂ制御所２０の監視制御装置２３には、ｇ変電所６４の表示情報が配信される。
【００５１】
なお、図９では、ｇ変電所６４からの表示情報がＡ制御所１０に配信されるように、ＤＸ配信定義テーブルが前もって修正されている。このために、Ａ制御所１０において先に説明した受信処理を行い、Ａ制御中継所４０において配信追加処理を行うことで、この修正が行われる。
【００５２】
こうして、この実施の形態によれば、配信の追加の際には、ＭＰ受信定義テーブルを最初に操作するだけで、ＤＸ配信定義テーブルを自動修正するので、従来では必要であったテーブルメンテナンスおよび対向試験に要するコストを低減することができる。また、この実施の形態によれば、ＤＸ配信定義テーブルを自動修正するので、ＤＸ配信定義テーブルのメンテナンスを不要にすることができ、担当者による他所とのやり取りが少なくなり、運用管理を容易にすることができる。さらに、この実施の形態によれば、ＤＸ配信定義テーブルを自動修正するので、情報集配信装置の配信項目と配信先の監視制御装置の受信項目との不一致を防止し、配信先で情報欠損が発生することを防ぐことができる。
【００５３】
（実施の形態２）
先の実施の形態では配信の追加を行ったが、この実施の形態では配信の停止を行う。例えばＡ制御中継所４０の情報集配信装置４３は、配信の停止のために、ＤＸ配信定義テーブルを自動修正する。なお、この実施の形態では、先に説明した実施の形態１と同一もしくは同一と見なされる構成要素には、それと同じ参照符号を付けて、その説明を省略する。
【００５４】
情報集配信装置４３は、Ａ制御所１０〜Ｃ制御所３０の例えばＡ制御所１０から、運転制御ネットワークＮＷを経て、後述の配信の停止要求を受信すると、図１０に示す配信停止処理を行う。情報集配信装置４３は、配信停止処理を開始すると、配信の停止要求に付加されている配信停止情報を調べる（ステップＳ６１）。ステップＳ６１が終了すると、情報集配信装置４３は、配信停止情報の電気所名とポジションとから、ＤＸ配信定義テーブルの該当する部分、つまり、該等する配信番号を調べる（ステップＳ６２）。ステップＳ６２が終了すると、情報集配信装置４３は、配信停止情報に含まれる制御所名を調べる（ステップＳ６３）。この後、情報集配信装置４３は、ステップＳ６２で調べた配信番号の該当する制御所の選択を、ＤＸ配信定義テーブルで削除する（ステップＳ６４）。ステップＳ６４で、情報集配信装置４３は、ＤＸ配信定義テーブル（図２（ａ））の配信先で、該当する制御所のフラグをオフにする。ステップＳ６４が終了すると、情報集配信装置４３は配信停止処理を終了する。
【００５５】
一方、監視制御装置１３は、ＭＰ受信定義テーブルを基に、表示・計測情報の受信が正常であるかどうかを調べる。このために、監視制御装置１３は図１１に示す受信処理を行う。監視制御装置１３は、この受信処理を開始すると、受信した表示・計測情報とＭＰ受信定義テーブルとを比較する（ステップＳ８１）。ステップＳ８１で、監視制御装置１３は、表示情報についてはビット単位で、受信した表示・計測情報とＭＰ受信定義テーブルとの差分を検出し、計測情報についてはワード単位で差分を検出する。比較の結果により、表示・計測情報とＭＰ受信定義テーブルとが不一致であるかどうか、つまり、表示・計測情報側に余剰の差分があるかどうかを判定する（ステップＳ８２）。ステップＳ８２で差分があると判定すると、監視制御装置１３は、配信の停止要求を生成する（ステップＳ８３）。
【００５６】
ステップＳ８３が終了すると、監視制御装置１３は、差分を基に配信停止情報を生成する（ステップＳ８４）。ステップＳ８４で、監視制御装置１３は、受信した表示・計測情報で余分な部分を調べる。この部分は、受信した情報の中の余剰な部分であり、監視制御装置１３は、余剰な情報を送信した制御中継所、電気所名およびポジションと、自身の制御所名とを、配信停止情報とする。
【００５７】
ステップＳ８４が終了すると、監視制御装置１３は、配信の停止要求に配信停止情報を付加する（ステップＳ８５）。ステップＳ８５が終了すると、監視制御装置１３は、配信停止情報を参照し、余剰な情報を送信した制御中継所を調べる（ステップＳ８６）。この後、監視制御装置１３は、通信装置１１を制御して、調べた制御中継所に向けて、生成した配信の停止要求を送信する（ステップＳ８７）。
【００５８】
ステップＳ８７が終了するか、または、ステップＳ８２で差分が無いと判定すると、監視制御装置１３は、受信処理を終了する。監視制御装置１３は、こうした受信処理を行う。
【００５９】
こうして、この実施の形態によれば、配信の停止の際には、ＭＰ受信定義テーブルを最初に操作するだけで、表示・計測情報の配信が自動で停止されるので、ネットワーク負荷の軽減が図れ、監視制御システムの性能維持ができる。この結果、配信先での運用変更等により不要になった情報は、情報集配信装置のテーブルを自動で削除して、配信を停止するので、制御中継所での少量のテーブルメンテナンスにも対応することができる。また、これにより、不要情報が運転制御ネットワークＮＷ内を流れることを防ぎ、運転制御ネットワークＮＷの負荷に影響を及ぼすことを防止して、監視制御システムの性能低下を防ぐことができる。
【符号の説明】
【００６０】
１０  Ａ制御所
２０  Ｂ制御所
３０  Ｃ制御所
１１〜３１  通信装置
１２〜３２  運転卓
１３〜３３  監視制御装置
４０  Ａ制御中継所
５０  Ｂ制御中継所
４１、５１  通信装置
４２、５２  運転卓
４３、５３  情報集配信装置
【図１】
0005497129.tif 000002
【図２】
0005497129.tif 000003
【図３】
0005497129.tif 000004
【図４】
0005497129.tif 000005
【図５】
0005497129.tif 000006
【図６】
0005497129.tif 000007
【図７】
0005497129.tif 000008
【図８】
0005497129.tif 000009
【図９】
0005497129.tif 000010
【図１０】
0005497129.tif 000011
【図１１】
0005497129.tif 000012
【図１２】
0005497129.tif 000013